(57)【要約】【課題】電極体の正極活物質シートを正極外部端子に、電極体の負極活物質シートを負極外部端子にそれぞれ溶接せず当接により電気的に接続することによって、容易に製造することができ、かつ電圧低下を低減して高性能化を図ることができる巻き電池およびその製造方法を提供する。【解決手段】正極活物質シート２と、負極活物質シート４とが、セパレータ３０または３１を介して渦巻き状に捲回された電極体１と、該電極体１の両端部２ａ、４ａにそれぞれ対向配置された正極外部端子６または負極外部端子７とを備える巻き電池Ｄであって、電極体１の各端部２ａ、４ａに異なる極性が突出するように、両シート２、４を軸方向にずらした状態で重ね合わされて渦巻き状に捲回されてなり、電極体１の突出している正極活物質シート２を正極外部端子６に、電極体１の突出している負極活物質シート４を負極外部端子７にそれぞれ当接して電気的に接続する。【選択図】　図１
2004103350.tif 000002
【特許請求の範囲】
【請求項１】
正極活物質を含む正極活物質シートと負極活物質を含む負極活物質シートとが電解質を含むセパレータを介して渦巻き状に捲回された電極体と、該電極体の両端部にそれぞれ対向配置され、電気的に接続される正極外部端子および負極外部端子とを備える巻き電池であって、
前記電極体は、その軸方向の一端部に前記正極活物質シートが、他端部に前記負極活物質シートがそれぞれ突出するように、両シートを軸方向にずらした状態で重ね合わされて渦巻き状に捲回されてなり、
前記電極体の突出している正極活物質シートを前記正極外部端子に、前記電極体の突出している負極活物質シートを前記負極外部端子にそれぞれ当接して電気的に接続するように構成されていることを特徴とする巻き電池。
【請求項２】
前記セパレータは、前記正極活物質シートおよび／または前記負極活物質シートの突出方向と反対側の端部を覆うように構成されていることを特徴とする請求項１記載の巻き電池。
【請求項３】
前記電極体は、その外周部に巻き付けて結束する結束部材をさらに備えることを特徴とする請求項１または２記載の巻き電池。
【請求項４】
前記電極体が複数であり、
該複数の電極体が並列的に配されていることを特徴とする請求項１乃至３のいずれかに記載の巻き電池。
【請求項５】
前記複数の電極体が、充放電特性の異なる複数の種類の電極体を備えることを特徴とする請求項４記載の巻き電池。
【請求項６】
前記複数の電極体が、互いに隣接する前記正極外部端子および前記負極外部端子を介して直列的に配されていることを特徴とする請求項４または５記載の巻き電池。
【請求項７】
巻き電池が、ニッケル水素電池であることを特徴とする請求項１乃至６のいずれかに記載の巻き電池。
【請求項８】
正極活物質を含む正極活物質シートと、負極活物質を含む負極活物質シートと、両シートの間に介在する第１セパレータと、該第１セパレータとの間で両シートのいずれか一方のシートを挟み込む第２セパレータとを、前記両セパレータの一端側から前記正極活物質シートが、前記両セパレータの他端側から前記負極活物質シートがそれぞれ突出するようにずらした状態で重ね合わせる第１工程と、
重ね合わせた両シートおよび両セパレータを渦巻き状に捲回する第２工程と、突出している前記正極活物質シートを正極外部端子に、突出している前記負極活物質シートを負極外部端子にそれぞれ当接して電気的に接続する第３工程とを備えることを特徴とする巻き電池の製造方法。
【請求項９】
前記第１工程が、前記正極活物質シートおよび前記負極活物質シートの突出方向と反対側の端部をそれぞれ覆うように前記第１セパレータおよび／または第２セパレータの端部を折り曲げる工程をさらに含むことを特徴とする請求項８記載の巻き電池の製造方法。
【請求項１０】
前記第２工程が、前記捲回された両シートおよび両セパレータの外周部を結束部材で巻き付けて結束する工程をさらに含むことを特徴とする請求項８または９記載の巻き電池の製造方法。
【発明の詳細な説明】
【０００１】
【発明の属する技術分野】
本発明は、正極活物質シート、セパレータおよび負極活物質シートを重ね合わせて捲回してなる電極体を用いた巻き電池およびその製造方法に関する。
【０００２】
【従来の技術】
ニッケル水素電池などに代表される円筒状の巻き電池は、正極活物質（水酸化ニッケルなど）を含む正極活物質シートと、負極活物質（水素吸蔵合金など）を含む負極活物質シートとが、両シート間を電気絶縁し、その中に含まれる電解液を介してイオンを伝導させる板状のセパレータを介して渦巻き状に捲回された電極体を備える。該電極体の最外周層は負極活物質シートになるように構成されており、負極外部端子を兼ねる一端に開口を有する有底筒状の電池容器に収納されている。該電池容器の開口は、その中央部が突設した板状の正極外部端子で覆われており、これによって、正極外部端子が電池容器の一部を構成している（例えば、特許文献１参照）。また、正極外部端子と電極体の正極活物質シートとは、ニッケルなど導電性のタブを介してそれぞれ溶接されている（例えば、特許文献２参照）。
【０００３】
【特許文献１】
特開２００２−８７１０号公報　（第１頁、図１）
【特許文献２】
特開平５−２３４６１６号公報　（第３頁、図１）
【０００４】
【発明が解決しようとする課題】
しかしながら、上記の巻き電池の構造では、電気が流れる正極側の経路に溶接部を２箇所有する。該溶接部の電気抵抗のため、巻き電池を高出力放電する場合に巻き電池の両端間の電圧が低下し、巻き電池の性能を十分に確保することができない。また、溶接部があるために巻き電池の製造時間が多く掛かり、製造コストも多く掛かる。
【０００５】
本発明は、上記の問題点に鑑みてなされたものであり、電極体の正極活物質シートを正極外部端子に、電極体の負極活物質シートを負極外部端子にそれぞれ溶接せず当接により電気的に接続することによって、極めて容易に製造することができ、かつ電圧低下を低減して高性能化を図ることができる巻き電池およびその製造方法を提供することを目的とする。
【０００６】
【課題を解決するための手段】
上記の目的を達成するため、本発明は、正極活物質を含む正極活物質シートと、負極活物質を含む負極活物質シートとが電解質を含むセパレータを介して渦巻き状に捲回された電極体と、該電極体の両端部にそれぞれ対向配置され、電気的に接続される正極外部端子および負極外部端子とを備える巻き電池であって、電極体は、その軸方向の一端部に正極活物質シートが、他端部に負極活物質シートがそれぞれ突出するように、両シートを軸方向にずらした状態で重ね合わされて渦巻き状に捲回されてなり、電極体の突出している正極活物質シートを正極外部端子に、電極体の突出している負極活物質シートを負極外部端子にそれぞれ当接して電気的に接続するように構成されていることを特徴とする。
【０００７】
一般的に、放電する際、電流は正極活物質シートから正極外部端子および負極外部端子を介して負極活物質シートへ流れるが、本発明の巻き電池では、電流の流れる経路に溶接箇所がないので、高出力放電しても電圧低下が少なく高性能な巻き電池を得ることができる。
【０００８】
また、本発明のセパレータは、正極活物質シートおよび負極活物質シートの突出方向と反対側の端部を覆うように構成してもよい。この構成によれば、セパレータが正極活物質シートと負極活物質シートとを物理的に分離する。従って、何らかの外力によって突出している両シートのいずれかが変形した場合であっても、両シート間の電気絶縁を保つことができる。
【０００９】
また、本発明では、電極体をその外周部に巻き付けて結束する結束部材をさらに備える構成としてもよい。この構成によれば、結束部材が電極体の外周部に巻き付き電極体の形態を拘束し、これによって電極体の捲回状態を維持することができる。
【００１０】
また、本発明では、複数の電極体を備え、複数の電極体が並列的に配されてもよい。これにより、複数の電極体が並列的に配されることによって電気的に並列接続されるので、電池容量を大きくすることができる。すなわち、この場合、電極体の両端間の電圧は変わらず、電流が増加する。
【００１１】
また、上記複数の電極体が、充放電特性の異なる複数の種類の電極体であってもよい。このように充放電特性の異なる複数の電極体を組み合わせることによって、使用目的に応じた巻き電池を構成することが可能となる。例えば、一種類の電極体では実現不可能である瞬間的な高電流と大きな電池容量とを同時に満足する巻き電池を提供することができる。
【００１２】
さらに、本発明では、複数の電極体が、互いに隣接する正極外部端子および負極外部端子を介して直列的に配されても良く、これにより、巻き電池の高電圧化が可能となる。
【００１３】
また、本発明は、正極活物質を含む正極活物質シートと、負極活物質を含む負極活物質シートと、両シート間を電気絶縁し、その中に含まれる電解液を介してイオンを伝導させる板状の第１セパレータと、該第１セパレータとの間で両シートのいずれか一方のシートを挟み込む第２セパレータとを、両セパレータの一端側から正極活物質シートが、両セパレータの他端側から負極活物質シートがそれぞれ突出するようにずらした状態で重ね合わせる第１工程と、重ね合わせた両シートおよび両セパレータを渦巻き状に捲回する第２工程と、突出している正極活物質シートを正極外部端子に、突出している負極活物質シートを負極外部端子にそれぞれ当接して電気的に接続する第３工程とを備えることを特徴とする。
【００１４】
この構成によれば、両セパレータに対して両シートを相互に反対方向にずらした状態で重ね合わせ渦巻き状に捲回するので、これにより形成される電極体の各端部には互いに異なる極性を突出させることが可能となる。すなわち、電極体の一端部には正極活物質シートが、他端部には負極活物質シートが突出する。また、電極体の突出している正極活物質シートを正極外部端子に、電極体の突出している負極活物質シートを負極外部端子にそれぞれ当接することにより電気的に接続しているので、従来の巻き電池で行っていた溶接工程が不要となる。その結果、巻き電池の製造が極めて容易となり、その製造期間も短縮でき、さらにコストも低減することができる。
【００１５】
また、上記第１工程が、正極活物質シートおよび／または負極活物質シートの突出方向と反対側の端部をそれぞれ覆うように第１セパレータおよび／または第２セパレータの端部を折り曲げる工程をさらに含んでもよい。これにより、正極活物質シートと負極活物質シートとが電気絶縁性の両セパレータによって物理的に分離されるので、これらの間の電気絶縁を確実に行うことができる。
【００１６】
また、上記第２工程が、捲回された両シートおよび両セパレータの外周部を結束部材で巻き付けて結束する工程をさらに含んでもよい。これにより、両シートおよび両セパレータの捲回状態を維持することができる。
【００１７】
また、本発明に係る巻き電池がニッケル水素電池であってもよい。ニッケル水素電池は、クリーンで環境適合性のある電池として、近年、電気自動車などに使用されている。本発明に係る巻き電池の構造をニッケル水素電池に適用することにより、ニッケル水素電池の大容量化並びに高電圧化が可能となり前記電気自動車などへの適用が容易となる。
【００１８】
【発明の実施の形態】
以下、図面を用いて本発明に係る巻き電池の実施の形態について説明する。本発明に係る巻き電池の特徴部は電極体である。そこで、まず、巻き電池の電極体について説明する。
【００１９】
図１は、本発明に係る巻き電池の電極体の構造の一例を示しており、図１（ａ）、（ｂ）は、それぞれ電極体の部分切欠斜視図および電極体の平面図を示している。
【００２０】
図１（ａ）に示すように、略円筒状の電極体１は、正極活物質を含む正極活物質シート２と、負極活物質層を含む負極活物質シート４と、両シート２、４間に介在し両シート２、４間を電気絶縁すると共に、その中に含まれる電解液を介してイオンを伝導させる板状の第１セパレータ３０と、該第１セパレータ３０との間に正極活物質シート４を挟み込む第２セパレータ３１とを備える。そして、負極活物質シート４、第１セパレータ３０、正極活物質シート２および第２セパレータ３１は、この順に密着するように重ね合わされており、電極体１の最外周層が負極活物質シート４になるように渦巻き状に捲回されている（図１（ｂ）参照）。すなわち、第１セパレータ３０と第２セパレータ３１とが、電極体１の径方向内方に向かって正極活物質シート２と負極活物質シート４との間に形成される複数の層間に交互に介在する。ここでは、電極体１の最外周層が負極活物質シート４になるように構成されているが、正極活物質シート２に替えても構わない。
【００２１】
また、電極体１の軸方向の一端部４ａ（図１（ａ）中、上方の端部）には、負極活物質シート４が突出しており、電極体１の軸方向の他端部２ａ（図１（ａ）中、下方の端部）には、正極活物質シート２が突出している。負極活物質シート４の突出方向と反対側の端部４ｂは、電極体１の径方向外方に折り曲げられた第１セパレータ３０の端部３０ａによって覆われている。また、正極活物質シート２の突出方向と反対側の端部２ｂは、第１セパレータ３０の折り曲げらた端部３０ａと反対側の端部３０ｂと、電極体１の径方向外方に折り曲げられた第２セパレータ３１の端部３１ａとによって覆われている。これらの端部３０ｂ、３１ａは断面略コ字状になるように形成され、これによって形成された凹部に正極活物質シート２の突出方向と反対側の端部２ｂが内装されるように構成されている。以上の構成により、電極体１の正極活物質シート２と負極活物質シート４との接触（電気的な短絡）を防止することができる。なお、ここで示した第１セパレータ３０および第２セパレータ３１の端部３０ａ、３１ａを折り曲げる構造は一例であり、これに限定するものではない。
【００２２】
また、電極体１の渦巻き状の両端部２ａ、４ａはその軸方向に対して略直角になるように形成されており、略平坦な板状の正極外部端子（図示せず）および負極外部端子（図示せず）にそれぞれ均一に当接するように押圧されている。この構成では溶接部がないので、溶接部の電気抵抗による大きな電圧低下はない。これにより、巻き電池の高性能化が可能となる。
【００２３】
次に、ニッケル水素電池を一例として、上記の電極体１を構成する部品の材料について説明する。なお、以下に示す材料は、巻き電池の種類に応じて適宜変更される。
【００２４】
正極活物質シート２は、導電性の発砲ニッケルなどの板状体に水酸化ニッケル（正極活物質）を塗布して発砲ニッケルの細孔に充填し、乾燥したあと所定の厚みに圧延して形成されている。負極活物質シート４は、導電性の発砲ニッケルなど板状体に水素吸蔵合金粉末（負極活物質）を塗布して発砲ニッケルの細孔に充填し、乾燥したあと所定の厚みに圧延して形成されている。第１セパレータ３０および第２セパレータ３１は、電気絶縁物質であるポリプロピレン、ポリエチレンまたはポリアミドなどから構成される。また、両セパレータ３０、３１としては、メッシュ（網）または不織布などを採用することが好ましい。これにより、両セパレータ３０、３１は多くの電解液を保持することができる。その結果、正極活物質シート２と負極活物質シート４との間でのイオンの伝導が容易となる。電解質は、水酸化カリウムが使用される。
【００２５】
この場合の電池反応を簡単に説明すると、放電状態では、負極活物質シート４に吸蔵されている水素が水素イオンとなって（電子を外部放電回路に放つ）第１または第２セパレータ３０、３１内に含まれる電解液中を通り正極活物質シート２に達する。そこで、オキシ水酸化ニッケルと反応して（電子を得て）水酸化ニッケルになる。充電状態では、この逆の反応が起こる。
【００２６】
次に、上記電極体１の製造方法について図２に基づいて説明する。
【００２７】
まず、図２（ａ）に示すように、略長板状であって略同一形状を有する正極活物質シート２、負極活物質シート４、第１セパレータ３０および第２セパレータ３１を製作する。負極活物質シート４、第１セパレータ３０、正極活物質シート２および第２セパレータ３１は、この順に重ね合わされる。その後、正極活物質シート２は、第１セパレータ３０および第２セパレータ３１の一端側から突出するように（図２（ａ）の下方に）所定量ずらす。一方、負極活物質シート４は、第１セパレータ３０および第２セパレータ３１の他端側から突出するように（図２（ａ）の上方に）所定量ずらす。この場合、第１セパレータ３０および第２セパレータ３１の位置は変化しない。従って、両セパレータ３０、３１は、その板厚方向に相対向するように配置される。なお、上記「所定量」としては１ｍｍ程度でよいが、実際には、突出している正極活物質シート２および負極活物質シート４の形状、材質、加工精度などを考慮して設定される。
【００２８】
その後、図２（ｂ）に示すように、負極活物質シート４をずらした方向と反対側の端部４ｂを覆うために、第１セパレータ３０の端部３０ａは、その板厚方向の、負極活物質シート４側に略垂直に折り曲げられる。同様に、正極活物質シート２をずらした方向と反対側の端部２ａを覆うために、第２セパレータ３１の端部３１ａは、その板厚方向の、正極活物質シート２側に略垂直に折り曲げられる。これにより、正極活物質シート２、負極活物質シート４、第１セパレータ３ａおよび第２セパレータ３ｂを捲回するときに巻きずれなどを起こした場合であっても、正極活物質シート２と負極活物質シート４との接触（電気的な短絡）を防止することができる。なお、ここでは、両セパレータ３０、３１の端部３０ａ、３１ａを折り曲げる工程を有するが、正極活物質シート２と負極活物質シート４との電気絶縁を維持するように上記「所定量」を設定すれば、この工程を省略することも可能である。これにより、電極体１の製造が容易となる。
【００２９】
その後、図２（ｃ）に示すように、負極活物質シート４、第１セパレータ３０、正極活物質シート２および第２セパレータ３１を重ね合わせたものを、その長手方向に渦巻き状に捲回する。これにより、略円筒状の電極体１が形成され、その各端部２ａ、４ａには互いに異なる極性が形成される。すなわち、電極体１の一端部２ａに正極活物質シート２が、他端部４ａに負極活物質シート４がそれぞれ突出することになる。
【００３０】
その後、電極体１の形態の安定性を考慮して、図２（ｄ）に示すように、電極体１の外周部に帯状の結束部材５を巻き付け、該結束部材５の両端部５ａを熱融着などで接着してもよい。この例では、２箇所に結束部材５を巻き付けているが、その数は電極体１を構成する材料などに応じて適宜設定される。また、結束部材５も、第１セパレータ３０などと同様耐電解液性が要求される。そのため、結束部材５は、電気絶縁物質であるポリプロピレン、ポリエチレンまたはポリアミドなどからなる。さらに、結束部材５は、その中に電解液を多く含みイオンを伝導させる必要があるため、メッシュ（網）または不織布などから構成されることが好ましい。なお、結束部材５を電極体１に巻き付ける工程は、捲回された電極体１の形態が安定している場合には、省略しても構わない。
【００３１】
その後、電極体１が後述の電池容器Ｂなどに収納され、電池容器Ｂ内に電解液を充填し、電池容器Ｂ全体を密封して後述の捲き電池Ｄが形成される（図示せず）。電池容器Ｂに電極体１を収納する際、電極体１の各端部と電池容器Ｂとの接続部は、溶接されず当接される。
【００３２】
上記のように本実施の形態に係る電極体１および巻き電池Ｄの製造過程では、溶接工程がない。従って、その製造は極めて容易となる。その結果、巻き電池の製造時間を短縮することができ、製造コストも低減することができる。なお、上記の電極体１の製造方法は一例であり、これに限定されるものではない。
【００３３】
次に、上記電極体１を用いて構成した本発明の実施の形態に係る巻き電池について図１および図３に基づいて説明する。図３は、本発明の実施形態に係る巻き電池の斜視図である。図３（ａ）は、巻き電池の形状が箱形状である場合を示し、図３（ｂ）は、円筒形状である場合を示している。
【００３４】
図３（ａ）に示すように、巻き電池Ｄは複数の電極体１とこれらを収納する電池容器Ｂを備える。電池容器Ｂは全体として箱形状をなしており、その内相対向する２つの面が、それぞれ正極外部端子６と負極外部端子７とを構成する。両端子６、７とその他の面８との接続部には、電気絶縁材１０が介在しており、両端子６、７間は電気絶縁されている。なお、正極外部端子６および負極外部端子７には、電気配線などを接続するため帯状などの接続端子（図示せず）をそれぞれ設けても構わない。
【００３５】
上記電池容器Ｂ内には、複数の電極体１が収納され、これらは並列的に配置されている。図１に示した電極体１の突出している正極活物質シート２が正極端外部端子６に、電極体１の突出している負極活物質シート４が負極外部端子７に当接され、電気的に並列接続されている。
【００３６】
以上のように複数の電極体１を並列的に配置することによって、大きな電流を得る（大容量化する）ことができる。また、電極体１の突出している正極活物質シート２が正極外部端子６に、電極体１の突出している負極活物質シート２が負極外部端子７にそれぞれ当接するのみで溶接してしないので、溶接部の電気抵抗による電圧低下がない。これにより、巻き電池Ｄの高性能化が可能となる。
【００３７】
また、電池容器Ｂに収納される電極体１は、全て同一の充放電特性を有するものでも、異なる充放電特性を有するものの組合せであっても構わない。後者の例として、瞬間的に大電流を充放電する特性を有する電極体１と、小電流しか流せないが長時間充放電する（電気容量が大きい）特性を有する電極体１との組合せが挙げられる。これにより、瞬間的に大電流を充放電し、かつ長時間充放電することができる。例えば、本発明の実施の形態に係る巻き電池は、加速する際に瞬間的な大電流を要し、走行距離を長くするために大きな電気容量を要するような電気自動車または電気自転車などに適用される。なお、充放電特性の異なる電極体１の組合せは、巻き電池Ｄの用途に応じて適宜設定される。
【００３８】
また、電池容器Ｂの形状は、図３（ｂ）に示すように略円筒状であっても良い。図示するように、電池容器Ｂは円筒胴８ａ並びにこの両端の開口をそれぞれ覆う円板状の正極外部端子６および負極外部端子７を備える。両端子６、７と円筒胴８ａとの接続部分には、電気絶縁材１０が介在し、両端子６、７間の電気絶縁が保たれている。電池容器Ｂ内には、電極体１が並列的に配置されて収納されており、図１に示した電極体１の突出している正極活物質シート２が正極外部端子６に、電極体１の突出している負極活物質シート４が負極外部端子７にそれぞれ当接され、電気的に並列接続されている。
【００３９】
以上の構成により、電池容器Ｂの機械的な強度を向上させることができる。また、電池容器Ｂの接続箇所が少ないので、電池容器Ｂ内の電解液の漏れなどを防止することも容易である。
【００４０】
なお、ここでは、複数の電極体１を収納する場合について説明したが、もちろん、一つの電極体１を収納する場合であっても構わない。また、上述した例では、電池容器Ｂ内に複数の電極体１を並列的に収納する場合ついて説明したが、その他のものとして複数の電池容器Ｂを並列的に配置して大電流化を図っても良い。これにより、運搬可能なサイズの電池容器Ｂで構成したり、充放電特性の異なる電池容器Ｂで構成したりすることが容易となる。
【００４１】
次に、本発明の別の実施の形態に係る巻き電池について図４を用いて説明する。図４は、本発明の別の実施の形態に係る巻き電池の斜視図を示している。なお、ここでは、図３（ｂ）に示した円筒状の巻き電池Ｄを一例として説明する。
【００４２】
図４に示すように、４つの巻き電池Ｄが直列的に配置されている。各巻き電池Ｄの正極外部端子６と負極外部端子７とは、図３（ｂ）で示したように略平坦な円板状であり、互いに隣接する巻き電池Ｄの正極外部端子６および負極外部端子７とは互いに向かい合って当接している。以上のように巻き電池Ｄを直列配置することで高電圧化を図ることが可能となる。さらに、正極外部端子６と負極外部端子７とが当接する部分の面積を大きいので、この部分における電圧低下を小さくすることができる。なお、ここでは、巻き電池Ｄの数は４つであるが、この数に限定されるものではない。
【００４３】
なお、以上の巻き電池の構造および製造方法は、上述したニッケル水素電池以外にも、ニッケルカドミウム電池、リチウム電池、リチウムイオン電池、鉛蓄電池、マンガン電池など、また、一次電池、二次電池、電気二重層キャパシタ（コンデンサ）、電気二重層化学キャパシタ（コンデンサ）などにも適用することができる。
【００４４】
【発明の効果】
本発明に係る巻き電池は、電極体の正極活物質シートを正極外部端子に、電極体の負極活物質シートを負極外部端子にそれぞれ溶接せず当接により電気的に接続することによって、高出力放電する場合にあっても電圧低下を低減して高性能化を図ることができる。
【００４５】
また、本発明に係る巻き電池の製造方法では、溶接工程が不要であるので、巻き電池を極めて容易に製作することができる。
【図面の簡単な説明】
【図１】本発明に係る巻き電池の電極体の構造の一例を示す図である。
【図２】本発明に係る巻き電池の電極体の製造工程を示す図である。
【図３】本発明の実施形態に係る巻き電池の斜視図である。
【図４】本発明の別の実施の形態に係る巻き電池の斜視図である。
【符号の説明】
１　　電極体
２　　正極活物質シート
２ａ　　電極体の軸方向の他端部
３０　　第１セパレータ
３１　　第２セパレータ
４　　負極活物質シート
４ａ　　電極体の軸方向の一端部
５、５ａ　　結束部材
６　　正極外部端子
７　　負極外部端子
Ｂ　　電池容器
Ｄ　　巻き電池
【図１】
2004103350.tif 000003
【図２】
2004103350.tif 000004
【図３】
2004103350.tif 000005
【図４】
2004103350.tif 000006